(57)【要約】【課題】直方体形状の被洗浄物を洗浄するときに用いられるブラシの耐久性試験を実機に近い状態で実施することのできるブラシ耐久性試験装置を提供する。【解決手段】ブラシ耐久性試験装置１は、平ブラシ３を保持するブラシホルダ２と、ブラシホルダ２の下方に設けられた被洗浄物支持テーブル４と、被洗浄物支持テーブル４上に被洗浄物を固定するケース締付け具と、ケース締付け具により被洗浄物支持テーブル４上に固定された被洗浄物に洗浄液を散布する洗浄液散布ノズル１０と、ブラシホルダ２に保持された平ブラシ３のブラシ面に対して水平な方向に被洗浄物支持テーブル４をスライド駆動するテーブル駆動機構９と、ブラシホルダ２に保持された平ブラシ３の上下方向の位置を調整するブラシ位置調整機構１５とを備えて構成されている。【選択図】図１
2006102297.tif 000002
【特許請求の範囲】
【請求項１】
直方体形状の被洗浄物をブラッシング洗浄するときに用いられる平ブラシを保持するブラシホルダと、このブラシホルダの下方に設けられた被洗浄物支持テーブルと、この被洗浄物支持テーブル上に前記被洗浄物を固定する被洗浄物固定手段と、前記被洗浄物支持テーブル上に固定された前記被洗浄物に洗浄液を散布する洗浄液散布ノズルと、前記ブラシホルダに保持された前記平ブラシのブラシ面に対して水平な方向に前記被洗浄物支持テーブルをスライド駆動するテーブル駆動機構と、前記ブラシホルダに保持された平ブラシの上下方向の位置を調整するブラシ位置調整機構と、を備えてなることを特徴とするブラシ耐久性試験装置。
【請求項２】
前記ブラシ位置調整機構は、前記被洗浄物支持テーブルに対して前記ブラシホルダを上下方向に移動可能に支持する複数のラックギヤと、これらのラックギヤをそれぞれ上下方向に案内するリニアガイドと、前記ラックギヤを介して前記ブラシホルダを上下方向に昇降操作する昇降操作機構部とからなることを特徴とする請求項１記載のブラシ耐久性試験装置。
【請求項３】
前記昇降操作機構部は、前記ラックギヤに各々噛合する複数のピニオンギヤと、これらのピニオンギヤを回転自在に支持する支持軸と、この支持軸を介して前記ピニオンギヤに回転力を付与する第１のベベルギヤと、この第１のベベルギヤと噛合する第２のベベルギヤを有する回転軸と、この回転軸を回転操作する操作ハンドルとからなることを特徴とする請求項２記載のブラシ耐久性試験装置。
【請求項４】
請求項１〜３のいずれか一項記載のブラシ耐久性試験装置において、前記被洗浄物をブラッシング洗浄するときに用いられるロールブラシを保持するブラシ保持軸を前記被洗浄物支持テーブルの上方に設けるとともに、前記ブラシ保持軸に保持されたロールブラシを回転駆動するロールブラシ駆動機構を備えたことを特徴とするブラシ耐久性試験装置。
【請求項５】
請求項４記載のブラシ耐久性試験装置において、前記被洗浄物支持テーブルに対して前記ブラシ保持軸を上下方向に移動可能に支持するブラシ保持軸支持機構を備えたことを特徴とするブラシ耐久性試験装置。
【発明の詳細な説明】
【技術分野】
【０００１】
本発明は、例えばビール瓶輸送用ケースやビール瓶輸送用パレットなどのように直方体形状の被洗浄物をブラッシング洗浄するときに用いられるブラシの耐久性を試験するためのブラシ耐久性試験装置に関する。
【背景技術】
【０００２】
ビール瓶を輸送するときに用いられるビール瓶輸送用ケースは、中身が空のビール瓶と共に販売店等から回収されて再使用されるのが一般的であるが、回収されたビール瓶輸送用ケースには土や砂が付着している場合が多い。従って、回収されたビール瓶輸送用ケースを再使用する場合には、ビール瓶輸送用ケースを洗浄してビール瓶輸送用ケースに付着した土や砂を除去する必要があり、ビール製造工場などでは、回収されたビール瓶輸送用ケースの外面に洗浄液を噴射することによってビール瓶輸送用ケースに付着した土や砂を除去するようにしている（特許文献１参照）。
【０００３】
しかし、ビール瓶輸送用ケースの外側面には土や砂だけでなく、商品タグなどの粘着物が付着している場合もあり、上述した方法では商品タグなどの粘着物をビール瓶輸送用ケースから除去することは難しい。そこで、回収されたビール瓶輸送用ケースをコンベアにより一方向に搬送し、その搬送ラインの途中に設置した洗浄液散布装置からビール瓶輸送用ケースに温水等の洗浄液を散布してビール瓶輸送用ケースに付着した粘着物等の付着物を膨潤せしめた後、ビール瓶輸送用ケースの外側面に平ブラシやロールブラシなどのブラシを接触させてビール瓶輸送用ケースをブラッシング洗浄する方法が提案されている。
【特許文献１】特開平９−２９１９４号公報
【発明の開示】
【発明が解決しようとする課題】
【０００４】
このような方法によると、ビール瓶輸送用ケースに付着している砂や土だけでなく、ビール瓶輸送用ケースの外側面に粘着している商品タグなどの粘着物も除去することができるが、ビール瓶輸送用ケースの外側面には補強用のリブが突出しているため、ビール瓶輸送用ケースに接触するブラシの接触量（「かぶり量」とも言う）が大きすぎると、ブラシが比較的早期に摩耗してしまい、ブラシを頻繁に交換する必要がある。また、ビール瓶輸送用ケースの表面を傷付けることになる。逆に、ビール瓶輸送用ケースに接触するブラシの接触量が小さすぎると、ブラシの摩耗量を小さく抑えられるものの、商品タグなどの粘着物がビール瓶輸送用ケースに残留しやすくなる。従って、ビール瓶輸送用ケースなどのような長方体形状の被洗浄物を平ブラシやロールブラシなどのブラシでブラッシング洗浄する洗浄装置を設計する場合には、ブラシの接触量と摩耗量との関係を把握しておくことが肝要である。しかしながら、従来においては、ブラシの接触量と摩耗量との関係を把握することのできる装置が存在せず、その出現が望まれていた。また、従来においては、ビール瓶輸送用ケースなどをブラッシング洗浄するときに使用するブラシの耐久性試験を実機に近い状態で実施できる装置がなかった。
本発明は、このような問題点に着目してなされたものであり、直方体形状の被洗浄物を洗浄するときに用いられるブラシの耐久性試験を実機に近い状態で実施することのできるブラシ耐久性試験装置を提供することを目的とするものである。
【課題を解決するための手段】
【０００５】
上記の目的を達成するために、請求項１の発明に係るブラシ耐久性試験装置は、直方体形状の被洗浄物をブラッシング洗浄するときに用いられる平ブラシを保持するブラシホルダと、このブラシホルダの下方に設けられた被洗浄物支持テーブルと、この被洗浄物支持テーブル上に前記被洗浄物を固定する被洗浄物固定手段と、前記被洗浄物支持テーブル上に固定された前記被洗浄物に洗浄液を散布する洗浄液散布ノズルと、前記ブラシホルダに保持された前記平ブラシのブラシ面に対して水平な方向に前記被洗浄物支持テーブルをスライド駆動するテーブル駆動機構と、前記ブラシホルダに保持された平ブラシの上下方向の位置を調整するブラシ位置調整機構と、を備えていることを特徴とする。
【０００６】
請求項２の発明は、請求項１記載のブラシ耐久性試験装置において、前記ブラシ位置調整機構が、前記被洗浄物支持テーブルに対して前記ブラシホルダを上下方向に移動可能に支持する複数のラックギヤと、これらのラックギヤをそれぞれ上下方向に案内するリニアガイドと、前記ラックギヤを介して前記ブラシホルダを上下方向に昇降操作する昇降操作機構部とからなることを特徴とする。
【０００７】
請求項３の発明は、請求項２記載のブラシ耐久性試験装置において、前記昇降操作機構部が、前記ラックギヤに各々噛合する複数のピニオンギヤと、これらのピニオンギヤを回転自在に支持する支持軸と、この支持軸を介して前記ピニオンギヤに回転力を付与する第１のベベルギヤと、この第１のベベルギヤと噛合する第２のベベルギヤを有する回転軸と、この回転軸を回転操作する操作ハンドルとからなることを特徴とする。
【０００８】
請求項４の発明は、請求項１〜３のいずれか一項記載のブラシ耐久性試験装置において、前記被洗浄物をブラッシング洗浄するときに用いられるロールブラシを保持するブラシ保持軸を前記被洗浄物支持テーブルの上方に設けるとともに、前記ブラシ保持軸に保持されたロールブラシを回転駆動するロールブラシ駆動機構を備えたことを特徴とする。
請求項５の発明は、請求項４記載のブラシ耐久性試験装置において、前記被洗浄物支持テーブルに対して前記ブラシ保持軸を上下方向に移動可能に支持するブラシ保持軸支持機構を備えたことを特徴とする。
【発明の効果】
【０００９】
本発明に係るブラシ耐久性試験装置によれば、ブラシホルダに保持された平ブラシの上下方向の位置をブラシ位置調整機構によって任意に調整できるので、直方体形状の被洗浄物を洗浄するときに用いられる接触量と摩耗量との関係を把握することができると共にブラシの耐久性試験を実機に近い状態で実施することができる。
【発明を実施するための最良の形態】
【００１０】
以下、本発明の一実施形態に係るブラシ耐久性試験装置について図１〜図１０を参照して説明する。
図１及び図２において、符号１は本発明の一実施形態に係るブラシ耐久性試験装置であって、このブラシ耐久性試験装置１はブラシホルダ２、洗浄液散布ノズル１０等を備えて構成されている。
【００１１】
ブラシホルダ２はプレート状に形成されており、このブラシホルダ２の下面には、複数（本実施形態では６個）の平ブラシ３がそのブラシ面を下方に向けて一列に保持されている。これらの平ブラシ３はビール瓶輸送用ケースやビール瓶輸送用パレットなどの被洗浄物をブラッシング洗浄するときに用いられるものであって、ブラシホルダ２の下方には、被洗浄物を支持する長方形状の被洗浄物支持テーブル４が設けられているとともに、互いに平行な二本のリニアガイド５を介して被洗浄物支持テーブル４を図１中左右方向にスライド可能に支持するテーブル支持架台６が設けられている。
【００１２】
被洗浄物支持テーブル４は平ブラシ３の配列方向と直交する方向に長手方向を有しており、この被洗浄物支持テーブル４には、被洗浄物固定手段である複数（本実施形態では４個）のケース締付け具７（図３参照）がそれぞれ所定位置に設けられている。これらのケース締付け具７は、図４に示すように、被洗浄物支持テーブル４に固定されたナット７１と、このナット７１に螺合する締付けボルト７２とからなり、締付けボルト７２には、図５に示すビール瓶輸送用ケース８を被洗浄物支持テーブル４上に押え付ける押え板７３が設けられているとともに、締付けボルト７２を締緩操作するためのノブ７４が設けられている。
なお、ビール瓶輸送用ケース８はその側面部に矩形状の開口窓８１（図５参照）を有しており、ケース締付け具７の締付けボルト７２はビール瓶輸送用ケース８の開口窓８１を挿通してナット７１と螺合するようになっている。
【００１３】
上記テーブル支持架台６には、被洗浄物支持テーブル４を図１中左右方向にスライド駆動するテーブル駆動機構９が設けられている。このテーブル駆動機構９は互いに平行な二つのラックギヤ９１，９２（図３及び図６参照）を備えており、これらのラックギヤ９１，９２のうち一方のラックギヤ９１は被洗浄物支持テーブル４に固定され、他方のラックギヤ９２はテーブル支持架台６に固定されている。また、テーブル駆動機構９はラックギヤ９１，９２と噛合するピニオンギヤ９３（図３及び図６参照）を備えており、このピニオンギヤ９３をラックギヤ９１，９２の長手方向に往復運動させるロッド９４には、駆動モータ９６により旋回駆動される旋回アーム９５の先端部が回動自在に連結されている。
【００１４】
洗浄液散布ノズル１０は被洗浄物支持テーブル４の上方に設けられており、この洗浄液散布ノズル１０には、洗浄液供給ポンプ１１（図３参照）から吐出された洗浄液が洗浄液供給管１２を経て供給されるようになっている。なお、洗浄液散布ノズル１０から被洗浄物支持テーブル４上の被洗浄物に散布された洗浄液は被洗浄物支持テーブル４の下方に設けられた洗浄液回収トレイ１３（図１参照）によって回収された後、洗浄液タンク１４に供給され、洗浄液タンク１４に貯えられた洗浄液は前述した洗浄液供給ポンプ１１により洗浄液散布ノズル１０へ送られるようになっている。
【００１５】
被洗浄物支持テーブル４の上方には、ブラシホルダ２に保持された平ブラシ３の上下方向の位置を調整するブラシ位置調整機構１５（図７及び図８参照）が設けられている。このブラシ位置調整機構１５は被洗浄物支持テーブル４に対してブラシホルダ２を上下方向に移動可能に支持する複数（本実施形態では二つ）のラックギヤ１５１（図８参照）と、これらのラックギヤ１５１をそれぞれ上下方向に案内するリニアガイド１５２とを備えており、各ラックギヤ１５１はブラシホルダ２の上面部に鉛直に立設されている。
【００１６】
また、ブラシ位置調整機構１５はラックギヤ１５１を介してブラシホルダ２を上下方向に昇降操作する昇降操作機構部１５３（図７及び図８参照）を備えている。この昇降操作機構部１５３はラックギヤ１５１に各々噛合する複数のピニオンギヤ１５４と、これらのピニオンギヤ１５４を回転自在に支持する支持軸１５５と、この支持軸１５５を介してピニオンギヤ１５４に回転力を付与する第１のベベルギヤ１５６と、この第１のベベルギヤ１５６と噛合する第２のベベルギヤ１５７を有する回転軸１５８と、この回転軸１５８を回転操作する操作ハンドル１５９とからなり、操作ハンドル１５９を操作して回転軸１５８を回転させると、ラックギヤ１５１及びブラシホルダ２が上下方向に移動するようになっている。
【００１７】
被洗浄物支持テーブル４の上方には、ビール瓶輸送用ケースなどの被洗浄物をブラッシング洗浄するときに用いられるロールブラシ１６（図２参照）を保持するブラシ保持軸１７が回転自在に設けられているとともに、ブラシ保持軸１７を被洗浄物支持テーブル４に対して上下方向に移動可能に支持するブラシ保持軸支持機構１８（図９参照）が設けられている。
ブラシ保持軸支持機構１８はブラシ保持軸１７の端部を支持する一対の軸受１８１（図９参照）と、これらの軸受１８１を介してブラシ保持軸１７を支持する一対の可動ブラケット１８２とを備えており、各可動ブラケット１８２には、図１０に示すように、二つの長孔１８３が上下方向に沿って穿設されている。
【００１８】
また、ブラシ保持軸支持機構１８は可動ブラケット１８２を介してブラシ保持軸１７を支持する一対の固定ブラケット１８４を備えており、これらの固定ブラケット１８４には、可動ブラケット１８２の上下方向の位置を調整するための二本の位置調整用ボルト１８５（図１０参照）が設けられているとともに、二本のブラケット固定用ボルト１８６が設けられている。これらのブラケット固定用ボルト１８６は上記長孔１８３にそれぞれ挿通されており、各ブラケット固定用ボルト１８６には、可動ブラケット１８２を固定ブラケット１８４に固定するためのナット１８７（図９参照）が螺嵌されている。
【００１９】
ブラシ保持軸１７に保持されたロールブラシ１６は、ロールブラシ駆動機構１９（図１及び図２参照）によりブラシ保持軸１７と共に回転駆動されるようになっている。このロールブラシ駆動機構１９は駆動モータ１９１（図９参照）を備えており、駆動モータ１９１で発生した回転トルクは駆動スプロケット１９２、チェーン１９３、従動スプロケット１９４を介してブラシ保持軸１７に伝わるようになっている。
また、ロールブラシ駆動機構１９はチェーン張力調整用スプロケット１９５（図１０参照）を備えており、このスプロケット１９５を支持軸１９６を中心として図１０のように上下方向に揺動させることによってチェーン１９３の張力を任意に調整できるようになっている。
【００２０】
このようなブラシ耐久性試験装置１を使用して平ブラシ３やロールブラシ１６の耐久性試験を行う場合は、例えばブラシホルダ２に複数の平ブラシ３をセットすると共にブラシ保持軸１７に複数のロールブラシ１６をセットし、さらに被洗浄物支持テーブル４の上面に被洗浄物の一つであるビール瓶輸送用ケース８を載置する。次に、ビール瓶輸送用ケース８をケース締付け具７で被洗浄物支持テーブル４上に固定した後、被洗浄物支持テーブル４上のビール瓶輸送用ケース８に洗浄液を洗浄液散布ノズル１０から散布する。その後、ブラシ保持軸１７に保持されたロールブラシ１６をロールブラシ駆動機構１９により回転させ、さらにテーブル駆動機構９の駆動モータ９６を起動させると、被洗浄物支持テーブル４が図１中左右方向に往復運動するので、平ブラシ３やロールブラシ１６の耐久性を実機に近い状態で試験することができる。
【００２１】
また、操作ハンドル１５９を操作して回転軸１５８を回転させると、ラックギヤ１５１及びブラシホルダ２が上下方向に移動するので、平ブラシ３の位置を被洗浄物支持テーブル４に対して上下方向に調整することができる。したがって、ビール瓶輸送用ケース８等の被洗浄物に接触する平ブラシ３の接触量を調整できるので、ビール瓶輸送用ケース８等の被洗浄物に接触する平ブラシ３の接触量と摩耗量との関係を正確に把握することができる。
【００２２】
さらに、ブラシ保持軸支持機構１８のナット１８７を緩めると、可動ブラケット１８２を長孔１８３の範囲内で上下方向に動かすことできる。これにより、ブラシ保持軸１７の位置を被洗浄物支持テーブル４に対して上下方向に調整できるので、ビール瓶輸送用ケース８等の被洗浄物に接触するロールブラシ１６の接触量と摩耗量との関係を正確に把握することができる。
【００２３】
なお、本発明は上述した実施形態に限定されるものではない。たとえば、上述した実施形態では、ロールブラシ１６の耐久性を試験するために、被洗浄物支持テーブル４の上方にブラシ保持軸１７を設けたが、平ブラシ３の耐久性のみを試験する場合には、被洗浄物支持テーブル４の上方にブラシ保持軸１７を設けなくてもよい。また、反対にロールブラシ１６の耐久性のみを試験するとき、平ブラシ３を設けなくてもよい。また、上述した実施形態では、被洗浄物に接触するロールブラシ１６の接触量と摩耗量との関係を調べるために、ブラシ保持軸１７を被洗浄物支持テーブル４に対して上下方向に移動可能に支持するブラシ保持軸支持機構１８を被洗浄物支持テーブル４の上方に設けたが、被洗浄物支持テーブル４の上方にブラシ保持軸支持機構１８を必ずしも設ける必要はない。
【図面の簡単な説明】
【００２４】
【図１】本発明の一実施形態に係るブラシ耐久性試験装置の正面図である。
【図２】図１に示すブラシ耐久性試験装置の側面図である。
【図３】図２のIII−III断面図である。
【図４】図３に示すケース締付け具の詳細構成を示す図である。
【図５】ビール瓶を輸送するときに用いるビール瓶輸送用ケースの斜視図である。
【図６】図３のVI−VI断面図である。
【図７】本発明の一実施形態に係るブラシ耐久性試験装置のブラシ位置調整機構の詳細構成を示す図である。
【図８】図７に示すブラシ位置調整機構の平面図である。
【図９】本発明の一実施形態に係るブラシ耐久性試験装置のロールブラシ駆動機構の構成を示す図である。
【図１０】本発明の一実施形態に係るブラシ耐久性試験装置のロールブラシ支持機構の構成を示す図である。
【符号の説明】
【００２５】
１  ブラシ耐久性試験装置
２  ブラシホルダ
３  平ブラシ
４  被洗浄物支持テーブル
５  リニアガイド
６  テーブル支持架台
７  ケース締付け具
８  ビール瓶輸送用ケース
９  テーブル駆動機構
９１，９２  ラックギヤ
９３  ピニオンギヤ
９４  ロッド
９５  旋回アーム
９６  駆動モータ
１０  洗浄液散布ノズル
１１  洗浄液供給ポンプ
１２  洗浄液供給管
１３  洗浄液回収トレイ
１４  洗浄液タンク
１５  ブラシ位置調整機構
１５１  ラックギヤ
１５２  リニアガイド
１５３  昇降操作機構部
１５４  ピニオンギヤ
１５５  支持軸
１５６  第１のベベルギヤ
１５７  第２のベベルギヤ
１５８  回転軸
１５９  操作ハンドル
１６  ロールブラシ
１７  ブラシ保持軸
１８  ブラシ保持軸支持機構
１８１  軸受
１８２  可動ブラケット
１８３  長孔
１８４  固定ブラケット
１８５  位置調整用ボルト
１８６  ブラケット固定用ボルト
１８７  ナット
１９  ロールブラシ駆動機構
１９１  駆動モータ
１９２  駆動スプロケット
１９３  チェーン
１９４  従動スプロケット
１９５  チェーン張力調整用スプロケット
【図１】
2006102297.tif 000003
【図２】
2006102297.tif 000004
【図３】
2006102297.tif 000005
【図４】
2006102297.tif 000006
【図５】
2006102297.tif 000007
【図６】
2006102297.tif 000008
【図７】
2006102297.tif 000009
【図８】
2006102297.tif 000010
【図９】
2006102297.tif 000011
【図１０】
2006102297.tif 000012